(57)【要約】【課題】再生順序の登録が行われる際にチャプタに対応する画像を表示し、再生順序の登録を容易にした光ディスク装置を提供する。【解決手段】制御部６は、光ディスク１００に設定されているチャプタの一覧を光ディスク１００から読取るようＰＵヘッド２に指示する。制御部６は、取得したチャプタの一覧を用いて、図４に示すような、プログラム選択画面を表示するようＯＳＤ処理部８に指示する。ユーザは、操作部１０のカーソルキーによって、カーソル５１を移動させる。そして、制御部６は、カーソル５１がチャプタの一覧の中の１つのチャプタに合わせられると、その１つのチャプタのプレビューをテレビジョン１０１の空白領域７０に表示する。これにより、ユーザは、チャプタに含まれる再生画像を知ることができる。そのため、ユーザは、自身が希望するチャプタを光ディスク装置１に登録し易くなる。【選択図】  図４
2008146716.tif 000002
【特許請求の範囲】
【請求項１】
光ディスクに記録されている画像データを再生する再生順序を示す再生順序情報を記憶する記憶手段と、
前記再生順序情報で示される再生順序に従って再生するプログラム再生が指示されると、その再生順序に従って前記光ディスクから前記画像データを読取り、再生信号として自装置外部に出力する再生手段と、を備え、前記自装置から出力された信号を処理して画像を画面上に表示する表示器に接続される光ディスク装置において、
前記プログラム再生に先立つ前記再生順序の登録が行われる際、前記光ディスクに設定されているチャプタの一覧を前記光ディスクから取得し、そのチャプタの一覧と前記表示器の画面上で入力が行われる位置を示すカーソルとを示すＯＳＤ信号であって、そのＯＳＤ画像の一部に空白領域を有するＯＳＤ信号を作成して前記自装置外部に出力するＯＳＤ表示手段と、
前記表示器の画面上における前記カーソルの移動を受付けるカーソルキーと、前記カーソルが合わせられた、前記チャプタの一覧の中の１つのチャプタを選択して登録するための登録キーと、が設けられた操作手段と、を備え、
前記再生手段は、
前記登録キーで選択された複数のチャプタを、登録された順番に前記再生順序情報として前記記憶手段に記録する記録手段を有し、
前記カーソルが前記チャプタの一覧の中の１つのチャプタに合わせられると、以下のＳＴ１乃至ＳＴ４の動作を逐次行う光ディスク装置。
（ＳＴ１）そのチャプタの先頭から画像データを読取り、
（ＳＴ２）読取った画像データの画面サイズを、前記空白領域のサイズに縮小し、
（ＳＴ３）その縮小画像を前記空白領域の位置に合わせ、
（ＳＴ４）その縮小画像を示す画像信号を前記ＯＳＤ信号とともに前記自装置外部に出力する。
【請求項２】
光ディスクに記録されている画像データを再生する再生順序を示す再生順序情報を記憶する記憶手段と、
前記再生順序情報で示される再生順序に従って再生するプログラム再生が指示されると、その再生順序に従って前記光ディスクから前記画像データを読取り、再生信号として自装置外部に出力する再生手段と、を備え、前記自装置から出力された信号を処理して画像を画面上に表示する表示器に接続される光ディスク装置において、
前記プログラム再生に先立つ前記再生順序の登録が行われる際、前記光ディスクに設定されているチャプタの一覧を前記光ディスクから取得し、そのチャプタの一覧と前記表示器の画面上で入力が行われる位置を示すカーソルとを示すＯＳＤ信号であって、そのＯＳＤ画像の一部に空白領域を有するＯＳＤ信号を作成して前記自装置外部に出力するＯＳＤ表示手段と、
前記表示器の画面上における前記カーソルの移動を受付けるカーソルキーが設けられた操作手段と、を備え、
前記再生手段は、前記カーソルが前記チャプタの一覧の中の１つのチャプタに合わせられると、以下のＳＴ１乃至ＳＴ４の動作を逐次行う光ディスク装置。
（ＳＴ１）そのチャプタに対応する画像データを前記光ディスクから読取り、
（ＳＴ２）読取った画像データの画面サイズを、前記空白領域のサイズに縮小し、
（ＳＴ３）その縮小画像を前記空白領域の位置に合わせ、
（ＳＴ４）その縮小画像を示す画像信号を前記ＯＳＤ信号とともに前記自装置外部に出力する。
【請求項３】
前記操作手段には、前記カーソルが合わせられた、前記チャプタの一覧の中の１つのチャプタを選択して登録するための登録キーが設けられ、
前記再生手段は、前記登録キーで選択された複数のチャプタを、登録された順番に前記再生順序情報として前記記憶手段に記録する記録手段を有する請求項２に記載の光ディスク装置。
【請求項４】
前記再生手段は、上記ＳＴ１において、そのチャプタの先頭から画像データを読取る請求項２又は３に記載の光ディスク装置。
【発明の詳細な説明】
【技術分野】
【０００１】
本発明は、光ディスクに記録されている画像データを再生する再生順序を示す再生順序情報を記憶し、その再生順序情報で示される再生順序に従って再生するプログラム再生機能を有する光ディスク装置に関するものである。
【背景技術】
【０００２】
従来、ＣＤ、ＤＶＤ等の光ディスクに記録されている画像や音声を再生する光ディスク装置が実用化され、一般に普及している。
【０００３】
従来の光ディスク装置の中には、光ディスクに記録されている画像データを再生する再生順序を示す再生順序情報を記憶し、その再生順序情報で示される再生順序に従って再生する光ディスク装置がある。この再生はプログラム再生と呼ばれ、光ディスク装置に接続された表示器において再生順序に基づく画像や音声が再生される。
【０００４】
プログラム再生に先立つ再生順序の登録が行われる際、光ディスク装置は、光ディスクに設定されているチャプタの一覧を示すＯＳＤ信号を作成して、チャプタの一覧を表示器に表示する。
ユーザは、このチャプタの一覧を見て、所望のチャプタを順番に光ディスク装置に登録する。登録完了後、ユーザがプログラム再生を光ディスク装置に指示すると、登録されたチャプタの順番にコンテンツ（画像や音声）が表示器で再生される。
一方、特許文献１では、プレイリスト作成ガイド機能付き記録再生装置が提案されている。
【特許文献１】特開２００２−１５２６６５公報
【発明の開示】
【発明が解決しようとする課題】
【０００５】
しかしながら、チャプタの一覧だけを見ても、チャプタの内容は分からない。そのため、プログラム再生を行う際、ユーザは、適当に登録せざるを得なかった。または、光ディスクを一度通常再生してその内容を記憶し、その記憶を手がかりに登録せざるを得なかった。
よって、従来の光ディスク装置では、再生順序の登録が難しかった。また、その結果、従来の光ディスク装置では、プログラム再生の利用率が低かった。
【０００６】
本発明はこのような従来の課題を解決しようとするものであり、再生順序の登録が行われる際にチャプタに対応する画像を表示し、再生順序の登録を容易にした光ディスク装置を提供することを目的とする。
【課題を解決するための手段】
【０００７】
本発明の光ディスク装置は、前記課題を解決するために以下の構成を備えている。
【０００８】
（１）光ディスクに記録されている画像データを再生する再生順序を示す再生順序情報を記憶する記憶手段と、
前記再生順序情報で示される再生順序に従って再生するプログラム再生が指示されると、その再生順序に従って前記光ディスクから前記画像データを読取り、再生信号として自装置外部に出力する再生手段と、を備え、前記自装置から出力された信号を処理して画像を画面上に表示する表示器に接続される光ディスク装置において、
前記プログラム再生に先立つ前記再生順序の登録が行われる際、前記光ディスクに設定されているチャプタの一覧を前記光ディスクから取得し、そのチャプタの一覧と前記表示器の画面上で入力が行われる位置を示すカーソルとを示すＯＳＤ信号であって、そのＯＳＤ画像の一部に空白領域を有するＯＳＤ信号を作成して前記自装置外部に出力するＯＳＤ表示手段と、
前記表示器の画面上における前記カーソルの移動を受付けるカーソルキーが設けられた操作手段と、を備え、
前記再生手段は、前記カーソルが前記チャプタの一覧の中の１つのチャプタに合わせられると、以下のＳＴ１乃至ＳＴ４の動作を逐次行う光ディスク装置。
【０００９】
（ＳＴ１）そのチャプタに対応する画像データを前記光ディスクから読取り、
（ＳＴ２）読取った画像データの画面サイズを、前記空白領域のサイズに縮小し、
（ＳＴ３）その縮小画像を前記空白領域の位置に合わせ、
（ＳＴ４）その縮小画像を示す画像信号を前記ＯＳＤ信号とともに前記自装置外部に出力する。
【００１０】
この構成において、光ディスクには、再生する際において画像データへのアクセス単位となるチャプタが予め設定されている。そして、プログラム再生に先立って、再生順序の登録が行われる。
この構成では、プログラム再生が選択入力されると、ＯＳＤ表示手段は、光ディスクに設定されているチャプタの一覧を光ディスクから前記再生手段を介して取得する。ＯＳＤ表示手段は、取得したチャプタの一覧を用いて、表示器に表示するためのＯＳＤ画像のＯＳＤ信号を作成する。このＯＳＤ画像に空白領域を設けた理由は、上記の縮小画像を表示するためである。この空白領域には、ＯＳＤ信号を作成しない、即ちＯＳＤ信号の信号成分がない。
作成されたＯＳＤ信号が表示器に出力されると、表示器において、そのＯＳＤ画像が表示される。そして、ユーザは、このＯＳＤ画像を見ながら、カーソルキーによって上記のカーソルを移動させる。
そして、再生手段は、カーソルがチャプタの一覧の中の１つのチャプタに合わせられると、その１つのチャプタの画像を表示器の空白領域に表示する。同様に、ユーザがカーソルを移動させると、今度は、その位置にあるチャプタのプレビューが表示される。
以上のように、再生順序の登録が行われる際にチャプタに対応する画像を空白領域で表示しているので、ユーザは、チャプタに含まれる再生画像を知ることができる。そのため、ユーザは、自身が希望するチャプタを光ディスク装置に登録し易くなる。従って、再生順序の登録を容易にすることができる。
【００１１】
（２）前記操作手段には、前記カーソルが合わせられた、前記チャプタの一覧の中の１つのチャプタを選択して登録するための登録キーが設けられ、
前記再生手段は、前記登録キーで選択された複数のチャプタを、登録された順番に前記再生順序情報として前記記憶手段に記録する記録手段を有する。
【００１２】
この構成では、ユーザが、空白領域に表示される画像を見ながらカーソルを移動させ、カーソル位置にあるチャプタを登録キーで選択して光ディスク装置に登録していく場面を想定している。
【００１３】
（３）前記再生手段は、上記ＳＴ１において、そのチャプタの先頭から画像データを読取る。
【００１４】
このようにチャプタの先頭から表示することで、チャプタに含まれる再生画像が分かりやすくなる。そのため、ユーザは、自身が希望するチャプタを光ディスク装置に一層登録し易くなる。従って、再生順序の登録を一層容易にすることができる。
【発明の効果】
【００１５】
この発明によれば、プログラム再生を行う際の再生順序の登録を容易にすることができる。
【発明を実施するための最良の形態】
【００１６】
以下、本発明の実施形態である光ディスク装置について説明する。
【００１７】
図１は、本発明の実施形態である光ディスク装置の主要な構成を示すブロック図である。光ディスク装置１は、所謂ＤＶＤプレーヤであり、装置本体１の各部の動作を制御する制御部６と、光ディスク１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声処理部５と、画像データをアナログの再生画像信号に変換する画像処理部４と、ＯＳＤ画像を生成するOSD処理部８と、合成画像を生成する画像合成部１３と、を備えている。
【００１８】
光ディスク１００は、例えばＣＤ、又はＤＶＤである。
【００１９】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、アクチュエータは、対物レンズを光ディスク１００に接離する方向、及び光ディスク１００の半径方向に移動させる。
【００２０】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２１】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像と音声のデータは、例えばMPEGでエンコードされている。そして、再生回路３は、音声データを音声処理部５に、画像データを画像処理部４に、これらのデータの同期を取りながら、それぞれ出力する。
【００２２】
音声処理部５は、音声データをデコードして、アナログの再生音声信号に変換し、その再生音声信号を外部のテレビジョン１０１に出力する。
なお、テレビジョン１０１がディジタル対応（例えばＨＤＭＩ規格）であれば、ディジタルで出力しても構わない。
【００２３】
画像処理部４は、再生回路３から出力された画像データをデコードする。この際、画像処理部４は、制御部６の指示に応じて、デコードされた画像データの画面サイズを、空白領域７０（後述の図４参照）のサイズに縮小する。そして、画像処理部４は、デコードされた画像データを画像合成部１３へ出力する。
【００２４】
OSD処理部８は、不図示のＯＳＤ画像メモリを内蔵する。ＯＳＤ画像メモリは、例えばフラッシュメモリで構成される。OSD処理部８は、制御部６から与えられる制御信号に基づいて、ＯＳＤ画像メモリ（不図示）が記憶しているデータに基づいて文字又は図形のＯＳＤ画像を生成し、画像合成部１３へ出力する。
【００２５】
画像合成部１３は、制御部６から与えられる制御信号に基づいて、画像処理部４から出力された画像データに基づく画像に、OSD処理部８から出力されたＯＳＤ画像を合成した合成画像を生成する。
【００２６】
そして、画像合成部１３は、この合成画像の信号をアナログの再生画像信号に変換し、外部のテレビジョン１０１に出力する。又は、画像合成部１３は、画像処理部４から出力された画像データをアナログの再生画像信号に変換し、外部のテレビジョン１０１に出力する。又は、画像合成部１３は、OSD処理部８から出力されたＯＳＤ画像のデータをアナログの再生画像信号に変換し、外部のテレビジョン１０１に出力する。
なお、テレビジョン１０１がディジタル対応（例えばＨＤＭＩ規格）であれば、ディジタルで出力しても構わない。
【００２７】
音声処理部５及び画像合成部１３には、テレビジョン１０１が接続される。テレビジョン１０１は、光ディスク装置1から出力された信号を処理して、画像を画面上に表示したり音声を放音したりする。
【００２８】
ユーザは、このテレビジョン１０１において、音声処理部５及び画像合成部１３から出力された再生画像信号に基づく画像、及び再生音声信号に基づく音声を視聴することができる。
【００２９】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、光ディスク１００の再生を指示するための再生キー、光ディスク１００の再生等の停止を指示するための停止キー、プログラム再生のプログラム選択画面を表示するためのメニューキー、テレビジョン１０１の画面上におけるカーソル５１（後述の図４参照）の移動を受け付けるカーソルキー、カーソル５１が合わせられた、チャプタの一覧の中の１つのチャプタを選択して登録するための登録キー、光ディスク１００のプログラム再生を指示するためのプログラム再生キー、がある。
【００３０】
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００３１】
表示部９は、時刻、光ディスク装置１の設定状態などを表示する。
【００３２】
記憶部１１は、例えばハードディスクやＥＥＰＲＯＭで構成されており、装置本体１の主制御プログラムを記憶する。記憶部１１は、光ディスク１００に記録されているデータを再生する再生順序を示す再生順序情報を記憶する。
【００３３】
制御部６は、例えばマイクロコンピュータで構成される。また、制御部６は、上記の主制御プログラムなどを展開するワークフィールドとしてのＲＡＭを内蔵する。制御部６は、光ディスク装置１にユーザから入力された命令に応じて光ディスク装置１の各部を制御する。
【００３４】
なお、実際の光ディスク装置では、読取時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３５】
ここで、ＰＵヘッド２、再生回路３、画像処理部４、音声処理部５、画像合成部１３、及び制御部６が、本発明の「再生手段」に相当する。また、ＰＵヘッド２、再生回路３、ＯＳＤ処理部８、画像合成部１３、及び制御部６が、本発明の「ＯＳＤ表示手段」に相当する。制御部６が、本発明の「記録手段」に相当する。操作部１０及びリモコン１２が、本発明の「操作手段」に相当する。表示部９及びテレビジョン１０１が、本発明の「表示器」に相当する。
また、この実施形態では、表示器としてテレビジョン１０１を用いているが、実施の際は、モニタでも構わない。
【００３６】
ここで、光ディスク１００は、ＤＶＤ−Ｖideoフォーマットで記録されている。
図２は、ＤＶＤ−Ｖideoフォーマットで記録された光ディスク上のデータのデータ構造を示す図である。ＤＶＤ−Ｖideoフォーマットで記録された光ディスク１００上には、図２（Ａ）に示すように、その内周から外周にかけてVMGI、VMGM_VOBS、タイトル＃１〜３が記録されている。
【００３７】
VMGI(Video  Manager  Information)には、ＤＶＤ−Ｖideo全体の再生関連情報（制御情報）、いわゆるルートメニューの情報が記述されている。例えば、ＶＴＳＩのアドレス情報等もここに記述されている。VMGM_VOBS(Video  Object  Set  for  VMG  Menu)には、タイトルメニューで使用するコンテンツが記述されている。また、ここには、ＶＴＳＩのアドレス情報等を含むＤＶＤ−Ｖideo全体の再生関連情報（制御情報）が記述される場合もある。VMGIbupは、VMGIのバックアップファイルである。
また、タイトルは、ＶＴＳＩ（Ｖideo  Ｔitle  Ｓet  Ｉnformation）とＶＯＢＳ（Ｖideo  Ｏbject  Ｓet）とＶＴＳＩbupとから構成されている（図２（Ａ）参照）。ＤＶＤ−Ｖideoフォーマットでは、最大９９タイトルまで収録が可能である。図２（Ａ）では、３タイトル収録されている。
【００３８】
ＶＴＳＩには、そのＶＴＳに対応する制御情報が記述されている。
【００３９】
ＶＯＢＳには、タイトル再生のためのコンテンツが記述されている。該ＶＯＢＳには、図２（C）に示すように、複数のセルから構成されている。ここで、図２（C）の＃ｎは、セルの番号である。
なお、ＶＯＢＳとＶＴＳとは、同じものを表す。
【００４０】
ＶＴＳＩbupには、ＶＴＳＩのバックアップファイルが記述されている。
ここで、ＶＴＳＩ、ＶＯＢＳ、及びＶＴＳＩbupの＃１〜３は、タイトルの番号に対応している。
【００４１】
ＤＶＤ−Ｖideoフォーマットにおいて、データは、予め決められたセル単位で記録される。
セルは、複数のＶＯＢＵ（Ｖideo  Ｏbject  Ｕnit）で構成される（図２（D）参照）。図２（D）の＃nは、ＶＯＢＵの番号である。１タイトルのセルの最大数は２５５セルである。そのため、光ディスクに１０時間分のデータを記録する場合、１セルは、例えば２分３０秒である。
ＶＯＢＵには、先頭にＮＶ＿ＰＣＫ（Ｎavigatyion  Ｐack）が置かれ、続いてビデオデータやオーディオデータ（ＡＶデータ）などがパック化されて挿入される（図２（E）参照）。
【００４２】
ここで、図２（B）に示すように、光ディスク１００には、再生する際においてセルへのアクセス単位となるチャプタが設定される。
【００４３】
図３は、本発明の実施形態である光ディスク装置の制御部が行う動作を示すフローチャートである。この動作は、ユーザが再生順序の登録を行い、プログラム再生を開始する時の動作である。
【００４４】
ユーザによって光ディスク１００が装置本体１にセットされると、制御部６は、マウント処理を実行する（Ｓ１）。マウント処理は、光ディスク１００のリードイン領域などをＰＵヘッド２に調査させ、その領域等に記述されている情報を再生回路３を介して取得する処理である。
【００４５】
制御部６は、上述のメニューキーによって、プログラム再生が選択入力されたか否かを判定する（Ｓ２）。
なお、自動再生が設定されている場合、ユーザは、停止キーとメニューキーを押下して、プログラム再生を選択入力する。自動再生とは、光ディスク１００がセットされると同時に通常の再生を開始する処理である。
【００４６】
また、制御部６は、上述の再生キーによって、通常の再生が選択入力されたか否かを判定する（Ｓ３）。
【００４７】
ここで、Ｓ２およびＳ３では、プログラム再生か通常の再生かをユーザが選択できる状態となっている。
【００４８】
Ｓ３において、通常の再生が選択入力されると、制御部６は、通常の再生を開始し（Ｓ４）、本処理を終了する。
【００４９】
一方、Ｓ２において、プログラム再生が選択入力されると、制御部６は、光ディスク１００に設定されているチャプタの一覧を光ディスク１００から読取るようＰＵヘッド２に指示する（Ｓ５）。これにより、制御部６は、チャプタの一覧を再生回路３を介して取得する。
【００５０】
図４は、プログラム再生に関するプログラム選択画面の表示の一例を示す図である。
制御部６は、取得したチャプタの一覧を用いて、図４に示すような、プログラム選択画面を表示するようＯＳＤ処理部８に指示する（Ｓ６）。詳述すると、制御部６は、図４に示すようなプログラム選択画面のデータをＯＳＤ処理部８のＯＳＤ画像メモリに記録する。これにより、ＯＳＤ処理部８は、チャプタの一覧とカーソル５１とを示すＯＳＤ信号であって、そのＯＳＤ画像の一部に空白領域７０を有するＯＳＤ信号を作成する。そして、ＯＳＤ処理部８は、そのＯＳＤ信号をテレビジョン１０１に出力する。この結果、テレビジョン１０１において、図４に示すような画面が表示される。
【００５１】
図４の画面における表示領域５０は、光ディスク１００に記録されているチャプタの一覧が表示される領域である。また、空白領域７０は、光ディスク１００に記録されている画像データを再生してプレビュー画面を表示するための領域である。この空白領域７０には、ＯＳＤ信号を作成しない、即ちＯＳＤ信号の信号成分がない。表示領域６０は、登録キーで登録された複数のチャプタが登録された順番に上から表示される領域である。また、カーソル５１は、テレビジョン１０１の画面上で入力が行われる位置を示すカーソルである。ユーザは、操作部１０又はリモコン１２のカーソルキーによって、このカーソル５１を移動させる。
【００５２】
そして、制御部６は、カーソル５１がチャプタの一覧の中の１つのチャプタに合わせられると、その１つのチャプタのプレビューをテレビジョン１０１の空白領域７０に表示する（Ｓ７）。Ｓ７について詳述すると、まず、制御部６は、その１つのチャプタに対応する画像データを光ディスク１００から読取るようＰＵヘッド２に指示する。これにより、読取られた画像データは、再生回路３を介して、画像処理部４に入力する。次に、制御部６は、読取った画像データの画面サイズを、空白領域７０のサイズに縮小するよう画像処理部４に指示する。さらに、制御部６は、その縮小画像を、空白領域７０の位置に合わせてＯＳＤ画像と合成するよう画像合成部１３に指示する。これにより、画像合成部１３は、この合成画像の信号をアナログの再生画像信号に変換し、外部のテレビジョン１０１に出力する。この結果、テレビジョン１０１の空白領域７０において、図４に示すような画面が表示される。
【００５３】
ここで、図４では、カーソル５１がＴＴ（タイトル）１のＣＨＰ（チャプタ）３に位置しているため、ＴＴ１のＣＨＰ３のプレビューが空白領域７０に表示される。そして、ユーザがカーソル５１をカーソルキーで移動させると、今度は、その位置にあるチャプタのプレビューが表示される。
【００５４】
チャプタが登録キーで選択されると（Ｓ８）、制御部６は、登録キーで選択された複数のチャプタを、選択された順番に上から表示領域６０に表示するようＯＳＤ処理部８に指示する（Ｓ９）。併せて、制御部６は、登録キーで選択された複数のチャプタを、選択された順番に再生順序情報として記憶部１１に記録する（Ｓ９）。
【００５５】
ここで、Ｓ７乃至Ｓ９では、ユーザが、図４のプレビューを見ながらカーソル５１を移動させ、カーソル５１位置にあるチャプタを登録キーで選択して表示領域６０に登録していく場面を想定している。
【００５６】
制御部６は、登録が完了したか否かを判定する（Ｓ１０）。この判定は、上述のプログラム再生キーが押下されるかどうかにより行われる。即ち、登録を完了してプログラム再生を実行したい場合、ユーザは、プログラム再生キーを押下する。
【００５７】
プログラム再生が指示されると、制御部６は、記憶部１１の再生順序情報で示される再生順序に従って光ディスク１００の再生を開始し（Ｓ１１）、本処理を終了する。これにより、ユーザは、テレビジョン１０１において、上記で登録された再生順序に基づく画像および音声を視聴することができる。
【００５８】
以上のように、再生順序の登録が行われる際にチャプタに対応する画像を空白領域７０で表示しているので、ユーザは、チャプタに含まれる再生画像を知ることができる。そのため、ユーザは、自身が希望するチャプタを光ディスク装置１に登録し易くなる。従って、再生順序の登録を容易にすることができる。
【００５９】
また、本発明の実施形態は、以下の変形例を採用することができる。
【００６０】
（第１変形例）
上記Ｓ７において、制御部６は、カーソル５１がチャプタの一覧の中の１つのチャプタに合わせられると、その１つのチャプタの先頭からプレビューをテレビジョン１０１の空白領域７０に表示してもよい。
【００６１】
これにより、チャプタに含まれる再生画像が分かりやすくなる。そのため、ユーザは、自身が希望するチャプタを光ディスク装置１に一層登録し易くなる。従って、再生順序の登録を一層容易にすることができる。
【図面の簡単な説明】
【００６２】
【図１】本発明の実施形態である光ディスク装置の主要な構成を示すブロック図
【図２】ＤＶＤ−Ｖideoフォーマットで記録された光ディスク上のデータのデータ構造を示す図
【図３】本発明の実施形態である光ディスク装置の制御部が行う動作を示すフローチャート
【図４】プログラム再生に関するプログラム選択画面の表示の一例を示す図
【符号の説明】
【００６３】
１−光ディスク装置
２−ピックアップヘッド
３−再生回路
４−画像処理部
５−音声処理部
６−制御部
８−ＯＳＤ処理部
９−表示部
１０−操作部
１１−記憶部
１２−リモコン
１３−画像合成部
５０−表示領域
５１−カーソル
６０−表示領域
７０−空白領域
１００−光ディスク
１０１−テレビジョン
【図１】
2008146716.tif 000003
【図２】
2008146716.tif 000004
【図３】
2008146716.tif 000005
【図４】
2008146716.tif 000006